(57)【特許請求の範囲】
【請求項１】
コンピュータを、
面付けタイプの設定情報を判定する手段、
仕上げの設定情報を判定する手段、
前記面付けタイプの設定情報が週刊誌又はミニ本であり、且つ、前記仕上げの設定情報に製本のために行う設定がなされているときに製本後のプレビュー表示を行い、それ以外のときに製本前のプレビュー表示を行う手段
として機能させるプレビュー表示プログラム。
【請求項２】
前記仕上げの設定情報になされる前記製本のために行う設定は、前記面付けタイプの設定情報が週刊誌のときに中綴じであり、前記面付けタイプの設定情報がミニ本であるときに二つ折りであること
を特徴とする請求項１記載のプレビュー表示プログラム。
【請求項３】
前記プレビュー表示を行う手段は、製本前のプレビュー表示として、前の用紙の裏面及び次の用紙の表面を二枚並べた状態で表示すること
を特徴とする請求項１又は２記載のプレビュー表示プログラム。
【請求項４】
前記プレビュー表示を行う手段は、プレビュー表示におけるページめくりを、ページめくりの動画により表すこと
を特徴とする請求項１乃至３何れか一項記載のプレビュー表示プログラム。
【請求項５】
面付けタイプの設定情報を判定する手段と、
仕上げの設定情報を判定する手段と、
前記面付けタイプの設定情報が週刊誌又はミニ本であり、且つ、前記仕上げの設定情報に製本のために行う設定がなされているときに製本後のプレビュー表示を行い、それ以外のときに製本前のプレビュー表示を行う手段と
を有することを特徴とするプレビュー表示装置。
【請求項６】
コンピュータによって実行されるプレビュー表示方法であって、
前記コンピュータが、
面付けタイプの設定情報を判定するステップと、
仕上げの設定情報を判定するステップと、
前記面付けタイプの設定情報が週刊誌又はミニ本であり、且つ、前記仕上げの設定情報に製本のために行う設定がなされているときに製本後のプレビュー表示を行い、それ以外のときに製本前のプレビュー表示を行うステップと
を実行することを特徴とするプレビュー表示方法。
【請求項７】
コンピュータを、
面付けタイプの設定情報を判定する手段、
仕上げの設定情報を判定する手段、
前記面付けタイプの設定情報が週刊誌又はミニ本であり、且つ、前記仕上げの設定情報に製本のために行う設定がなされているときに製本後のプレビュー表示を行い、それ以外のときに製本前のプレビュー表示を行う手段
として機能させるプレビュー表示プログラム
を記録したコンピュータ読み取り可能な記録媒体。
【発明の詳細な説明】
【技術分野】
【０００１】
本発明は、プレビューを表示するプレビュー表示プログラム、プレビュー表示装置、プレビュー表示方法及び該プレビュー表示プログラムを記録した記録媒体に関する。
【背景技術】
【０００２】
顧客より印刷物（カタログ、広告等）を受け取り、印刷物から顧客が希望する印刷出力物を生成し、印刷出力物を顧客に納品することで報酬を得る商業印刷業界では、印刷物の受け取りから納品に至るまで、複数の工程を踏んで作業を行っている。印刷物の受け取りから納品に至るまでの工程としては、顧客からの印刷物の入稿、印刷出力物の印刷条件の受付、色修正、レイアウト修正、綴じ位置修正といったプリプレス作業、顧客のプリプレス結果確認の為のプルーフプリント、印刷作業や印刷後の印刷とじ、圧着といった後工程処理、印刷出力物の顧客への納品といったものがあった。なお、印刷物の受け取りから納品に至るまでの工程は、顧客の要望する印刷出力物の印刷条件に伴い増減が発生する。
【０００３】
従来の商業印刷業界では、顧客から大量印刷を行う印刷物の受注が多く、前述した工程で印刷出力物の量産に対応していた、また、大量印刷を行う印刷物は、顧客からの印刷出力物の印刷条件が固定化されるケースが多かった。したがって、従来の商業印刷業界では決定した一つの印刷条件で大量印刷を行い、ロットの印刷終了後、印刷条件を変更し再び大量印刷を行うといった印刷サイクルで、顧客の要望する印刷出力物を生成していた。
【０００４】
この印刷サイクルにおいて、前述した複数の工程は印刷条件が変更になった場合に発生することが多かった。したがって、印刷条件に変更が無い場合、商業印刷業者は同一の工程での連続印刷が可能であり、効率的な大量印刷作業を行うことができた。
【０００５】
近年、商業印刷業界にはＰＯＤ（Print On Demand ）と呼ばれる、比較的小ロットの印刷物を短納期で顧客に納品するといったＰＯＤ市場が出現している。ＰＯＤ市場では複数の顧客からの受注が発生することが多い。結果としてＰＯＤ市場では商業印刷業者に入稿される印刷物や、印刷出力物の印刷条件などが多岐にわたることが多い。
【０００６】
併せて、近年は印刷物のデジタル化が進み、コンピュータを使用した印刷物生成の為の制御がなされるようになった。例えば印刷物を、ネットワークを介して電子データとして入稿したり、前述した複数の工程を制御したりするワークフローといった技術が現れるようになった。例えば、前述したワークフローでは前述した複数の工程での印刷動作をＪＤＦ（Job Definition Format ）と呼ばれるジョブチケットで定義し、印刷システムで印刷動作を制御しているものもある。
【０００７】
このような印刷環境の変化に伴い、商業印刷業者は受注した印刷物を生成する為に印刷システムのコンピュータ化を進めてきた。一方で、商業印刷業者は顧客からの多岐にわたる印刷出力物の印刷条件などに対応できる印刷システムの構築が併せて必要となってきている。さらに、顧客の要望である多岐にわたる印刷出力物を生成する為に、複数のプリンタ装置やデバイス（周辺）装置の導入といったシステム面の対応や、前述した複数の工程の比較的短いサイクルでの変更といった作業工程面での対応も必要となってきた。
【０００８】
商業印刷業者は、前述したような対応が必要となってきたが、利益を産み出す為に更なる業務効率の向上が必要となってくる。業務効率の向上に繋がる施策として、作業の簡素化が一つにある。
【０００９】
例えば印刷設定の間違いによるミスコピーによって用紙やトナーの無駄な消費が発生してしまうことに関しては、実際に印刷する前に仕上がりを確認できれば無駄の削減に有効である。実際に印刷する前に仕上がりを確認する方法として、仕上がりのプレビューを表示する方法は従来から知られている。
【００１０】
また、製本印刷の場合に、製本後のページ順序でプレビュー表示を行う技術は従来から知られている（例えば特許文献１参照）。
【発明の概要】
【発明が解決しようとする課題】
【００１１】
しかしながら、製本印刷する前に仕上がりを確認する場合、商業印刷業者は必ずしも製本後のページ順序だけで確認を行うわけではない。例えば印刷ジョブ中のページが印刷された用紙のページ順序でも、商業印刷業者は確認を行うことがある。なお、用紙に印刷されたページ順序は面付けにより配列されている。面付けとは、製本後に各ページがページ順序に並ぶように、各ページを配列することをいう。
【００１２】
このように、製本印刷の場合におけるプレビュー表示は、自動的に製本後のページ順序で表示されてしまうものが多く、必ずしも使い勝手が良いものではなかった。なお、製本前の用紙に印刷されたページ順序でプレビュー表示を行う場合、商業印刷業者は手動でプレビュー表示を切り替えなければならず、操作性が悪いという問題があった。
【００１３】
本発明は、上記の点に鑑みなされたもので、製本前の仕上がりのプレビューと製本後の仕上がりのプレビューとを自動的に切り替えて表示できるプレビュー表示プログラム、プレビュー表示装置、プレビュー表示方法及び該プレビュー表示プログラムを記録した記録媒体を提供することを目的とする。
【課題を解決するための手段】
【００１４】
上記課題を解決するため、請求項１に記載したプレビュー表示プログラムは、コンピュータを、面付けタイプの設定情報を判定する手段、仕上げの設定情報を判定する手段、前記面付けタイプの設定情報が週刊誌又はミニ本であり、且つ、前記仕上げの設定情報に製本のために行う設定がなされているときに製本後のプレビュー表示を行い、それ以外のときに製本前のプレビュー表示を行う手段として機能させるプレビュー表示プログラムであることを特徴とする。
【００１５】
なお、本発明の構成要素、表現または構成要素の任意の組合せを、方法、装置、システム、コンピュータプログラム、記録媒体、データ構造などに適用したものも本発明の態様として有効である。
【発明の効果】
【００１６】
本発明によれば、製本前の仕上がりのプレビューと製本後の仕上がりのプレビューとを自動的に切り替えて表示できる。
【図面の簡単な説明】
【００１７】
【図１】本発明を適用した印刷システムを含む一例のシステム構成図である。
【図２】ＰＣの一例のハードウェア構成図である。
【図３】印刷制御ＰＣの一例の処理ブロック図である。
【図４】面付けタイプ選択画面の一例のイメージ図である。
【図５】面付け設定に関するデータの一例の構成図である。
【図６】後処理設定画面のステープル設定部分を表した一例のイメージ図である。
【図７】後処理設定画面の折り設定部分を表した一例のイメージ図である。
【図８】仕上げ設定に関するデータの一例の構成図である。
【図９】プレビュー表示処理の手順を示す一例のフローチャートである。
【図１０】プレビュー表示処理の一例のイメージ図である。
【図１１】プレビュー表示を行うまでの処理の一例のイメージ図である。
【図１２】プレビュー表示を行うまでの処理の他の例のイメージ図である。
【図１３】面付けタイプが週刊誌でステープルの設定が中央２ヶ所以外であるときのプレビュー表示の一例のイメージ図である。
【図１４】面付けタイプが週刊誌でステープルの設定が中央２ヶ所であるときのプレビュー表示の一例のイメージ図である。
【図１５】面付けタイプがミニ本で折りの設定が二つ折り以外であるときのプレビュー表示の一例のイメージ図である。
【図１６】面付けタイプがミニ本で折りの設定が二つ折りであるときのプレビュー表示の一例のイメージ図である。
【図１７】プレビュー表示におけるページめくりの一例のイメージ図である。
【図１８】ジョブフォーマットの一例のデータ構成図である。
【図１９】原稿ページの「ページ順序／構成編集」画面の一例のイメージ図である。
【図２０】「用紙／面付け／後処理」画面の一例のイメージ図である。
【図２１】プレビューを含むＵＩ表示処理の一例のフローチャートである。
【図２２】ステップＳ１１の処理の一例のイメージ図である。
【図２３】印刷ジョブの一例の構造図である。
【図２４】ステップＳ１２の処理の一例のイメージ図である。
【図２５】ステップＳ１３の処理の一例のイメージ図である。
【発明を実施するための形態】
【００１８】
次に、本発明を実施するための最良の形態を、以下の実施例に基づき図面を参照しつつ説明していく。
【実施例１】
【００１９】
＜システム構成＞
図１は本発明を適用した印刷システムを含む一例のシステム構成図である。図１のシステムは顧客ＰＣ１と印刷システム２とがインターネット等のネットワーク３を介して接続されている。顧客ＰＣ１は顧客が利用する装置である。印刷システム２は商業印刷業者などの作業者が利用するシステムである。
【００２０】
また、印刷システム２は管理サーバ１１、印刷制御ＰＣ１２、プリンタ装置１４、デバイス装置１５、ＬＡＮなどのネットワーク１６を有する。管理サーバ１１、印刷制御ＰＣ１２及びプリンタ装置１４はネットワーク１６を介して接続されている。
【００２１】
管理サーバ１１は顧客からの入稿データを管理する装置である。印刷制御ＰＣ１２は印刷制御を行う装置である。プリンタ装置１４は印刷出力物を印刷する装置である。デバイス装置１５は印刷処理や後工程処理で必要となる装置であり、プリンタ装置１４と接続されている。
【００２２】
顧客は顧客ＰＣ１を操作し、ネットワーク３を介して、印刷物の印刷データ及び印刷条件を入稿データとして管理サーバ１１に送信する。管理サーバ１１は顧客ＰＣ１から受信した入稿データを管理する。印刷システム２を利用して印刷出力物の生成作業を行う作業者は印刷制御ＰＣ１２から管理サーバ１１にアクセスして入稿データを取得し、後述のような印刷制御により印刷出力物の生成作業を行う。また、印刷制御ＰＣ１２はプリンタ装置１４の状態を取得する。ここで言うプリンタ装置１４の状態とは、プリンタ装置１４が印刷可能な状態、プリンタ装置１４が印刷不可の状態、プリンタ装置１４に接続されているデバイス装置１５の状態、等が該当する。
【００２３】
＜ハードウェア構成＞
印刷制御ＰＣ１２は図２に示すようなハードウェア構成のＰＣにより実現される。図２はＰＣの一例のハードウェア構成図である。ＰＣ２０はバス２９で相互に接続されている入力装置２１、出力装置２２、記録媒体読取装置２３、補助記憶装置２４、主記憶装置２５、演算処理装置２６及びインタフェース装置２７を含む。
【００２４】
入力装置２１はキーボードやマウス等である。入力装置２１は各種信号を入力するために用いられる。出力装置２２はディスプレイ装置等である。出力装置２２は各種ウインドウやデータ等を表示するために用いられる。インタフェース装置２７は、モデム，ＬＡＮカード等である。インタフェース装置２７は、ネットワーク１６に接続するために用いられる。
【００２５】
印刷制御ＰＣ１２に搭載される印刷制御プログラム（以下、単にプログラムという）はＰＣ２０を制御する各種プログラムの少なくとも一部である。プログラムは例えば記録媒体２８の配布やネットワーク１６等からのダウンロードなどによって提供される。
【００２６】
記録媒体２８はＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２７】
プログラムを記録した記録媒体２８が記録媒体読取装置２３にセットされると、プログラムは記録媒体２８から記録媒体読取装置２３を介して補助記憶装置２４にインストールされる。ネットワーク１６等からダウンロードされたプログラムはインタフェース装置２７を介して補助記憶装置２４にインストールされる。
【００２８】
補助記憶装置２４は、インストールされたプログラム、必要なファイル、データ等を格納する。主記憶装置２５はプログラムの起動時に、補助記憶装置２４からプログラムを読み出して格納する。そして、演算処理装置２６は主記憶装置２５に格納されたプログラムに従って、後述するような各種処理を実現している。
【００２９】
＜ソフトウェア構成＞
図１に示すようなシステムの場合、印刷制御ＰＣ１２は例えば図３に示すような処理ブロックで実現される。図３は印刷制御ＰＣの一例の処理ブロック図である。印刷制御ＰＣ１２は印刷制御プログラム３０が搭載されている。印刷制御ＰＣ１２は印刷制御プログラム３０を実行することで、ジョブ制御部３１、プリンタ制御部３２、プリプレス操作部３３、プリプレス制御部３４を実現する。
【００３０】
ジョブ制御部３１は入稿データをプリンタ装置１４で印刷可能なデータ形式に変換したジョブ（ジョブデータ）を生成する。ジョブ制御部３１は印刷可能なデータ形式の一例として例えば一般的なＰＳ（PostScript）形式といったデータ型に変換する。また、プリンタ制御部３２はプリンタ装置１４の状態を取得し、ジョブ制御部３１へ送信する。プリンタ制御部３２はジョブデータに従ってプリンタ装置１４の処理を制御する。
【００３１】
プリプレス操作部３３は、作業者からの印刷設定を受け付ける。受け付けた印刷設定情報は、プリプレス制御部３４により処理される。プリプレス制御部３４は、プリプレス操作部３３と通信を行い、プリプレス操作部３３から入力された印刷設定などの印刷設定情報を処理する。
【００３２】
一例を挙げると、プリプレス操作部３３から印刷設定として面付け設定が実施された場合は、面付け設定情報を処理する。面付け設定情報を処理することで、プリプレス制御部３４は面付け設定情報に従ってジョブデータを印刷する為のＪＤＦを作成する。プリプレス制御部３４は面付け設定情報をＪＤＦに格納する。
【００３３】
また、プリプレス操作部３３から印刷設定として後処理設定が実施された場合は、後処理設定情報を処理する。後処理設定情報を処理することで、プリプレス制御部３４は後処理設定情報に従って後処理する為のＪＤＦを作成する。プリプレス制御部３４は後処理設定情報をＪＤＦに格納する。
【００３４】
また、プリプレス操作部３３から印刷設定としてタブ紙印刷設定が実施された場合はタブ紙印刷設定情報を処理する。タブ紙印刷設定情報を処理することにより、プリプレス制御部３４は、タブ紙印刷設定情報に従ってタブ紙をページ間に挿入する為のＪＤＦを作成する。プリプレス制御部３４はタブ紙印刷設定情報をＪＤＦに格納する。
【００３５】
さらに、プリプレス操作部３３は作業者からのプレビュー表示要求を受け付ける。受け付けたプレビュー表示要求は、プリプレス制御部３４により処理される。プリプレス制御部３４は、プリプレス操作部３３と通信を行い、プリプレス操作部３３から入力されたプレビュー表示要求を処理する。
【００３６】
＜処理の流れ＞
以下では、図３の印刷制御ＰＣ１２の処理ブロックの構成において、作業者が面付け設定及び後処理設定を行ったあと、プレビュー表示要求を行った時の処理の流れについて説明する。
【００３７】
《面付けタイプ選択画面》
プリプレス操作部３３は例えば図４に示すような面付けタイプ選択画面を作業者に提示し、作業者に面付けタイプを選択させる。
【００３８】
図４は面付けタイプ選択画面の一例のイメージ図である。図４の面付けタイプ選択画面はプルダウンメニューから面付けタイプを選択する例である。例えば図４（Ａ）は、面付けタイプとしてＭａｈａｚｉｎｅ（週刊誌）が選択された面付けタイプ選択画面の一例である。図４（Ｂ）は、面付けタイプとしてＭｉｎｉ  ｂｏｏｋ（ミニ本）が選択された面付けタイプ選択画面の一例である。
【００３９】
図４の面付けタイプ選択画面は、面付けタイプが選択されると、選択された面付けタイプのイメージが表示される。図４（Ａ）は面付けタイプが週刊誌の仕上がりのイメージを表示している。また、図４（Ｂ）は面付けタイプがミニ本の仕上がりのイメージを表示している。なお、作業者が行う面付け設定は図５に示すようなものがある。図５は面付け設定に関するデータの一例の構成図である。図５の面付け設定に関するデータは、面付け種類（面付けタイプ）及びひらき方向を含む。面付け種類には、通常、週刊誌及びミニ本が含まれている。ひらき方向には、左ひらき、右ひらき、上ひらきなどが含まれている。
【００４０】
《後処理設定画面》
プリプレス制御部３４は例えば図６、図７に示すような後処理設定画面を作業者に提示することにより、作業者に後処理設定を行わせる。図６は後処理設定画面のステープル設定部分を表した一例のイメージ図である。図６のステープル設定部分は、センターで二つとめるステープル（中綴じ）を設定している例である。また、図７は、後処理設定画面の折り設定部分を表した一例のイメージ図である。図７の折り設定部分は、二つ折りを設定している例である。図６及び図７の後処理設定画面はスクロールによりステープル設定部分と折り設定部分とをそれぞれ表示する例を表している。
【００４１】
なお、作業者が行う後処理設定は図８に示すようなものがある。図８は仕上げ設定に関するデータの一例の構成図である。図８の仕上げ設定（後処理設定）に関するデータはステープル及び折りを含む。ステープルには、なし、左上自動、左２ヶ所、中央２ヶ所（センターで二つとめるステープル）が含まれる。折りには、なし、二つ折り、Ｚ折り、四つ折が含まれる。
【００４２】
《プレビュー表示処理》
プリプレス操作部３３は作業者からのプレビュー表示要求を受け付ける。プリプレス操作部３３が作業者からのプレビュー表示要求を受け付けると、プリプレス制御部３４は図９に示すフローチャートの手順でプレビュー表示を行う。
【００４３】
図９はプレビュー表示処理の手順を示す一例のフローチャートである。ステップＳ１において、プリプレス制御部３４は現在の面付けタイプの設定を判定する。面付けタイプの設定は例えば図４の面付けタイプ選択画面から作業者によって選択されたものである。
【００４４】
面付けタイプが「週刊誌」であると判定すると、プリプレス制御部３４はステップＳ２において仕上げ設定のうちのステープルの設定を判定する。ステープルの設定は例えば図６の後処理設定画面のステープル設定部分から作業者によって選択されたものである。
【００４５】
ステープルの設定が「中央２ヶ所」であると判定すると、ステップＳ４において、プリプレス制御部３４は週刊誌中綴じ２ヶ所の製本結果をプレビュー表示する。ステープルの設定が「中央２ヶ所」以外であると判定すると、ステップＳ６において、プリプレス制御部３４はシート単位（製本前）のプレビュー表示を行う。
【００４６】
また、ステップＳ１において、面付けタイプが「ミニ本」であると判定すると、プリプレス制御部３４はステップＳ３において仕上げ設定のうち折りの設定を判定する。折りの設定は例えば図７の後処理設定画面の折り設定部分から作業者によって選択されたものである。
【００４７】
折りの設定が「二つ折り」であると判定すると、ステップＳ５において、プリプレス制御部３４はミニ本二つ折りの製本結果をプレビュー表示する。ステープルの設定が「二つ折り」以外であると判定すると、ステップＳ６において、プリプレス制御部３４はシート単位（製本前）のプレビュー表示を行う。
【００４８】
図９のフローチャートにおいて、ステップＳ２のステープルの設定「中央２ヶ所」及びステップＳ３の折りの設定「二つ折り」は製本のために行う設定の一例である。製本のために行う設定がなされている場合、図９のフローチャートでは製本後のプレビュー表示の方が作業者の使い勝手が良いと判断している。また、製本のために行う設定がなされていない場合、図９のフローチャートでは製本前のプレビュー表示の方が作業者の使い勝手が良いと判断している。
【００４９】
図１０はプレビュー表示処理の一例のイメージ図である。図１０に示すように、印刷制御ＰＣ１２は顧客から入稿された入稿データと、オペレータによる設定の内容（例えば面付け設定や後処理設定など）とから、印刷制御ＰＣ１２がもともと持っているルール（面付けルール、プレビュー表示ルールなど）に基づいてプレビュー画面を生成し、出力装置２２などに表示できる。
【００５０】
図１１はプレビュー表示を行うまでの処理の一例のイメージ図である。図１１では入稿データが１２ページ、面付けタイプが週刊誌、ステープルの設定が中央２ヶ所である例を表している。
【００５１】
図１１（Ａ）は１２ページの入稿データを表している。印刷制御ＰＣ１２は面付けタイプが週刊誌であるため、シート単位で週刊誌の面付けを行う。図１１（Ｂ）は週刊誌の面付けにより、１２ページの入稿データから表面及び裏面にそれぞれ２ページが割り付けられている３枚のシートが生成される。印刷制御ＰＣ１２はステープルの設定が中央２ヶ所であるため、図１１（Ｃ）のように、製本後の仕上がりである製本結果をプレビュー表示する。
【００５２】
図１２は、プレビュー表示を行うまでの処理の他の例のイメージ図である。図１２では入稿データが１２ページ、面付けタイプがミニ本、折りの設定が二つ折りである例を表している。
【００５３】
図１２（Ａ）は１２ページの入稿データを表している。印刷制御ＰＣ１２は面付けタイプがミニ本であるため、シート単位でミニ本の面付けを行う。図１２（Ｂ）はミニ本の面付けにより、１２ページの入稿データから表面及び裏面にそれぞれ２ページが割り付けられている３枚のシートが生成される。また、印刷制御ＰＣ１２は折りの設定が二つ折りであるため、図１２（Ｃ）のように、製本後の仕上がりである製本結果をプレビュー表示する。
【００５４】
《プレビュー表示のイメージ》
図１３は面付けタイプが週刊誌でステープルの設定が中央２ヶ所以外であるときのプレビュー表示の一例のイメージ図である。図１３に示すように、面付けタイプが週刊誌でステープルの設定が中央２ヶ所以外である場合は、用紙（シート）を二枚並べた状態のプレビュー表示になる。図１３のプレビュー表示において、左側が前の用紙の裏面、右側が次の用紙の表面となる。
【００５５】
また、図１４は面付けタイプが週刊誌でステープルの設定が中央２ヶ所であるときのプレビュー表示の一例のイメージ図である。図１４に示すように、面付けタイプが週刊誌でステープルの設定が中央２ヶ所である場合は、週刊誌を見開きにした状態（週刊誌中綴じ２ヶ所の製本結果を見開きにした状態）のプレビュー表示になる。
【００５６】
図１５は面付けタイプがミニ本で折りの設定が二つ折り以外であるときのプレビュー表示の一例のイメージ図である。図１５に示すように、面付けタイプがミニ本で折りの設定が二つ折り以外である場合は、用紙を二枚並べた状態のプレビュー表示になる。図１５のプレビュー表示において、左側が前の用紙の裏面、右側が次の用紙の表面となる。
【００５７】
図１６は、面付けタイプがミニ本で折りの設定が二つ折りであるときのプレビュー表示の一例のイメージ図である。図１６に示すように、面付けタイプがミニ本で折りの設定が二つ折りである場合は、ミニ本を見開きにした状態（ミニ本二つ折りの製本結果を見開きにした状態）のプレビュー表示になる。
【００５８】
なお、図１３〜図１６に示したプレビュー表示において、作業者は例えばマウス等でドラッグすることにより、ページをめくるように前のページや次のページのプレビュー表示を行うこともできる。図１７はプレビュー表示におけるページめくりの一例のイメージ図である。プレビュー表示におけるページめくりの処理は、既存の技術を利用することで可能である。
【００５９】
例えばアドビシステムズ社のＡＩＲ（Adobe Integrated Runtime）（登録商標）では本のページをめくるようにＷｅｂページをめくっていくアプリケーションがある。このアプリケーションはＨＴＭＬで書かれたＷｅｂサイトを読み込み、それにＦｌａｓｈならではの動きのある表現を加えて、表示を行うものである。
【００６０】
《プレビュー表示処理の詳細》
以下、面付けタイプが週刊誌でステープルの設定が中央２ヶ所であるときを一例としてプレビュー表示処理の詳細を説明する。なお、印刷制御ＰＣ１２は、図１８に示すような構成のＪＦ（ジョブフォーマット）を扱う。図１８はジョブフォーマットの一例のデータ構成図である。
【００６１】
図１８に示したＪＦ５１は例えば独自形式のＪＤＦである。ＪＦの責務は少なくとも文書構成データ５２、出力構成データ５６の保持である。また、ＪＦ５１は文書構成データ５２、出力構成データ５６を協調させることで表示用のデータ及び印刷用のデータを生成できる。
【００６２】
文書構成データ５２は文書データ５３、章データ５４、ページデータ５５を包含し、文書データ５３、章データ５４、ページデータ５５の関係を解決して、文書としての構成を表現する。出力構成データ５６は本データ５７、章データ５８、紙データ５９、面データ６０、領域データ６１、原稿枠データ６２を包含し、本データ５７、章データ５８、紙データ５９、面データ６０、領域データ６１、原稿枠データ６２の関係を解決して、出力する構成（一冊の本）を表現する。
【００６３】
文書（Ｄｏｃｕｍｅｎｔ）データ５３は文書のルート要素であり、複数の章から構成される。章（Ｃｈａｐｔｅｒ）データ５４は文書を構成する要素であり、複数のページから構成される。ページ（Ｐａｇｅ）データ５５は章を構成する要素であり、原稿ページ（例えばＰＤＦページ）と１対１で存在し、原稿ページとのマッピングを解決する。
【００６４】
本（Ｂｏｏｋ）データ５７は出力（一冊の本）のルート要素であり、複数の章から構成される。章（Ｂｒｏｃｈｕｒｅ）データ５８は本を構成する要素であり、複数の紙から構成される。紙（Ｐａｐｅｒ）データ５９は章を構成する要素であり、複数の面から構成される。面（Ｓｕｒｆａｃｅ）データ６０は紙を構成する要素であり、複数の領域から構成される。面データ６０は物理的な面を表現し、表面と裏面とが存在する。
【００６５】
また、領域（Ａｒｅａ）データ６１は面を構成する要素であり、複数の原稿枠から構成される。領域データ６１は同一の面に対し、原稿枠のセットのリピートを表現する。原稿枠（ＭａｎｕｓｃｒｉｐｔＦｒａｍｅ）データ６２は領域を構成する要素である。この原稿枠データ６２に文書構成データ５２のページデータ５５の内容が配置されることにより表示用や印刷用のデータとなる。
【００６６】
なお、ページデータ５５は、例えば原稿ページの「ページ順序／構成編集」画面表示用と「原稿ページ編集」画面表示用とに使用するサムネールデータ６３を有している。さらに、面データ６０は「用紙／面付け／後処理」画面表示用と「出力方法／設定」画面表示用とに使用するサムネールデータ６３を有している。
【００６７】
図１９は原稿ページの「ページ順序／構成編集」画面の一例のイメージ図である。文書構成データ５２の章データ５４、ページデータ５５及びサムネールデータ６３を使用することで図１９に示す原稿ページの「ページ順序／構成編集」画面を表示できる。
【００６８】
図２０は「用紙／面付け／後処理」画面の一例のイメージ図である。出力構成データ５６の章データ５８、紙データ５９、面データ６０、領域データ６１、原稿枠データ６２及びサムネールデータ６３を使用することで図２０に示す「用紙／面付け／後処理」画面を表示できる。なお、図２０の「用紙／面付け／後処理」画面は集約数「２」及び両面が面付け条件として設定されたときの例である。
【００６９】
図２１はプレビューを含むＵＩ表示処理の一例のフローチャートである。ステップＳ１１に進み、ジョブ制御部３１は入稿データからジョブデータを生成する。また、プリプレス制御部３４は面付けタイプが週刊誌でステープルの設定が中央２ヶ所である面付け設定情報に従ってジョブデータを印刷する為のＪＤＦを作成する。つまり、ステップＳ１１では原稿構成と面付け設定とに従って印刷ジョブを作成する。なお、ステップＳ１１の処理の詳細は後述する。
【００７０】
ステップＳ１２において、プリプレス制御部３４は例えば図２０の「用紙／面付け／後処理」画面などのＵＩの表示要求に応じて、製本結果をプレビューするために必要なサムネールイメージを作成する。なお、プリプレス制御部３４は例えば「面付けタイプが週刊誌でステープルの設定が中央２ヶ所」以外のとき、シート単位（製本前）のプレビュー表示を行うために必要なサムネールイメージを作成する。なお、ステップＳ１２の処理の詳細は後述する。
【００７１】
ステップＳ１３において、プリプレス制御部３４は作成したサムネールイメージを使用して、例えば製本結果のプレビューを含む図２０の「用紙／面付け／後処理」画面を表示する。なお、ステップＳ１３の処理の詳細は後述する。
【００７２】
図２２はステップＳ１１の処理の一例のイメージ図である。図２３は印刷ジョブの一例の構造図である。ジョブ制御部３１は入稿データ（原稿）から図２３の左側に示すような原稿構成データ５２を作成する。図２３の原稿構成データ５２は原稿が一つの章から構成され、章が８ページの原稿から構成されることを表している。
【００７３】
プリプレス制御部３４は面付けタイプが週刊誌でステープルの設定が中央２ヶ所である面付け設定情報に従って、図２３の左側に示す原稿構成データ５２から図２３の右側に示す出力構成データ５６を作成する。図２３の出力構成データ５６は原稿が一つの章から構成され、１枚目の紙の表面に「４ページ」「５ページ」の原稿、１枚目の紙の裏面に「６ページ」「３ページ」の原稿、２枚目の紙の表面に「２ページ」「７ページ」の原稿、２枚目の紙の裏面に「８ページ」「１ページ」の原稿が割り付けられたことを表している。
【００７４】
図２４はステップＳ１２の処理の一例のイメージ図である。プリプレス制御部３４は例えば図２０の「用紙／面付け／後処理」画面などのＵＩの表示要求に応じて、製本結果をプレビューするために必要なサムネールイメージを作成する。例えばプリプレス制御部３４は図２４の左側に示す出力構成データ５６から週刊誌の製本結果をプレビューするために必要な図２４の右側に示すサムネールイメージを作成する。なお、プリプレス制御部３４は面のプレビューを作成して分割することで図２４の右側に示すサムネールイメージを作成してもよい。
【００７５】
図２５はステップＳ１３の処理の一例のイメージ図である。プリプレス制御部３４は図２５の左側に示すサムネールイメージを使用することで、図２５の右側に示す週刊誌の製本結果のプレビューを表示できる。なお、プリプレス制御部３４は図２５の右側に示す週刊誌の製本結果のプレビューを表示するとき、使用するページのサムネールイメージを順次読み込むことで処理スピードの向上を図ることもできる。なお、プレビュー表示においては前述したように、例えばマウス等でドラッグすることにより、ページをめくるように前のページや次のページのプレビュー表示を行うこともできる。
【００７６】
＜まとめ＞
本発明によれば、プレビュー表示要求を受け付けると、面付けタイプの設定が週刊誌かつステープルの設定が中央２ヶ所であるか、又は、面付けタイプの設定がミニ本かつ折りの設定が二つ折りであるときに製本結果をプレビュー表示し、それ以外のときにシート単位（製本前）のプレビュー表示することができる。
【００７７】
言い換えれば、本発明は面付け設定及び仕上げ設定の内容を判定して、面付けタイプの設定が週刊誌かつステープルの設定がセンターステープルであるか、又は、面付けタイプの設定がミニ本かつ折りの設定が二つ折りであるときに、自動で折りを考慮した形態（製本結果）のプレビュー表示ができる。
【００７８】
本発明は、具体的に開示された実施例に限定されるものではなく、特許請求の範囲から逸脱することなく、種々の変形や変更が可能である。なお、特許請求の範囲に記載した面付けタイプの設定情報を判定する手段がステップＳ１の処理に相当し、仕上げの設定情報を判定する手段がステップＳ２又はＳ３の処理に相当し、プレビュー表示を行う手段がステップＳ４〜Ｓ６の処理に相当する。また、特許請求の範囲に記載したプレビュー表示プログラムが印刷制御プログラムに相当し、プレビュー表示装置が印刷制御ＰＣ１２に相当する。
【符号の説明】
【００７９】
１    顧客ＰＣ
２    印刷システム
３    ネットワーク
１１    管理サーバ
１２    印刷制御ＰＣ
１４    プリンタ装置
１５    デバイス装置
１６    ネットワーク
２０    ＰＣ
２１    入力装置
２２    出力装置
２３    記録媒体読取装置
２４    補助記憶装置
２５    主記憶装置
２６    演算処理装置
２７    インタフェース装置
２８    記録媒体
２９    バス
３０    印刷制御プログラム
３１    ジョブ制御部
３２    プリンタ制御部
３３    プリプレス操作部
３４    プリプレス制御部
５１    ジョブフォーマット（ＪＦ）
５２    文書構成データ
５３    文書（Ｄｏｃｕｍｅｎｔ）データ
５４    章（Ｃｈａｐｔｅｒ）データ
５５    ページ（Ｐａｇｅ）データ
５６    出力構成データ
５７    本（Ｂｏｏｋ）データ
５８    章（Ｂｒｏｃｈｕｒｅ）データ
５９    紙（Ｐａｐｅｒ）データ
６０    面（Ｓｕｒｆａｃｅ）データ
６１    領域（Ａｒｅａ）データ
６２    原稿枠（ＭａｎｕｓｃｒｉｐｔＦｒａｍｅ）データ
６３    サムネールデータ
【先行技術文献】
【特許文献】
【００８０】
【特許文献１】特開２００１−１３６３６４号公報
【図１】
0005849707.tif 000002
【図２】
0005849707.tif 000003
【図３】
0005849707.tif 000004
【図４】
0005849707.tif 000005
【図５】
0005849707.tif 000006
【図６】
0005849707.tif 000007
【図７】
0005849707.tif 000008
【図８】
0005849707.tif 000009
【図９】
0005849707.tif 000010
【図１０】
0005849707.tif 000011
【図１１】
0005849707.tif 000012
【図１２】
0005849707.tif 000013
【図１３】
0005849707.tif 000014
【図１４】
0005849707.tif 000015
【図１５】
0005849707.tif 000016
【図１６】
0005849707.tif 000017
【図１７】
0005849707.tif 000018
【図１８】
0005849707.tif 000019
【図１９】
0005849707.tif 000020
【図２０】
0005849707.tif 000021
【図２１】
0005849707.tif 000022
【図２２】
0005849707.tif 000023
【図２３】
0005849707.tif 000024
【図２４】
0005849707.tif 000025
【図２５】
0005849707.tif 000026